(57)【要約】【課題】均一に切断等の加工をすることができ、かつ切り幅等の加工幅を任意に変更することができる切断工具を提供する。【解決手段】ハンディタイプの切断工具１Ｄであって、刃間隔変更手段１７は、ハウジング１９とカッターユニット１８との間において隣接方向と直交する方向にスライド自在のスライド体１４と、スライド体１４に設けられた長孔に挿入され、かつ両端が長孔から突出した状態で長孔に沿って移動可能なピン部材１５ａ、１５ｂとからなり、ハウジング１９の天板には、各１つのピン部材１５ａ、１５ｂの一端が移動可能に挿入された複数の一端側ガイド２０ａ〜２０ｆが設けられており、カッターユニット１８には、各１つのピン部材１５ａ、１５ｂの他端が移動可能に挿入された複数の他端側ガイドが設けられていることを特徴とする。【選択図】図９
2014000374.tif 000002
【特許請求の範囲】
【請求項１】
使用者が片手で持って使用できるハンディタイプの切断工具であって、
各１つのカッター刃を有し、前記カッター刃が互いに隣接するように設けられ、かつ前記カッター刃の隣接方向に沿って移動可能な３つ以上のカッターユニットと、
前記使用者によって操作可能になっており、前記カッターユニットを前記隣接方向に移動させることで、前記カッター刃間の全ての間隔を同時に同じ量だけ変更する刃間隔変更手段と、
前記カッターユニットを前記隣接方向にのみ移動可能に案内する案内手段と、
前記案内手段の一端が連結された一方側の側板と、前記案内手段の他端が連結された他方側の側板と、前記カッターユニットのうち前記カッター刃の刃先と反対側の面を覆う天板とを有するハウジングと、
を備え、
前記刃間隔変更手段は、前記隣接方向に延びた長孔が設けられ、かつ前記ハウジングと前記カッターユニットとの間において前記隣接方向と直交する方向にスライド自在のスライド体と、前記長孔に挿入され、かつ両端が前記長孔から突出した状態で前記長孔に沿って移動可能な前記カッターユニットと同数のピン部材とからなり、
前記天板には、各１つの前記ピン部材の一端が移動可能に挿入された複数の一端側ガイドが、前記スライド体のスライド方向に沿って放射状に設けられており、
前記カッターユニットには、各１つの前記ピン部材の他端が移動可能に挿入された複数の他端側ガイドが、前記スライド方向と平行に設けられており、
前記使用者によって前記スライド体がスライド操作され、前記ピン部材が前記長孔、前記一端側ガイドおよび前記他端側ガイドに沿って移動することにより、前記カッターユニットが前記案内手段に沿って前記隣接方向に移動することを特徴とする切断工具。
【請求項２】
使用者が片手で持って使用できるハンディタイプの切断工具であって、
各１つのカッター刃を有し、前記カッター刃が互いに隣接するように設けられ、かつ前記カッター刃の隣接方向に沿って移動可能な３つ以上のカッターユニットと、
前記使用者によって操作可能になっており、前記カッターユニットを前記隣接方向に移動させることで、前記カッター刃間の全ての間隔を同時に同じ量だけ変更する刃間隔変更手段と、
前記カッターユニットを前記隣接方向にのみ移動可能に案内する案内手段と、
前記案内手段の一端が連結された一方側の側板と、前記案内手段の他端が連結された他方側の側板と、前記カッターユニットのうち前記カッター刃の刃先と反対側の面を覆う天板とを有するハウジングと、
を備え、
前記刃間隔変更手段は、前記ハウジングと前記カッターユニットとの間に設けられ、前記隣接方向と直交する方向にスライド自在のスライド体であり、
前記スライド体には、前記天板に対向した一方側の面に前記カッターユニットと同数の一方側突起部が設けられ、かつ前記カッターユニットに対向した他方側の面に前記カッターユニットと同数の他方側突起部が設けられており、
前記天板には、各１つの前記一方側突起部が挿入された複数の一方側ガイドが、前記スライド体のスライド方向と平行に設けられており、
前記カッターユニットには、各１つの前記他方側突起部が挿入された複数の他方側ガイドが、前記スライド方向に沿って放射状に設けられており、
前記カッターユニットは、前記使用者によって前記スライド体がスライド操作されることにより、前記案内手段に沿って前記隣接方向に移動することを特徴とする切断工具。
【発明の詳細な説明】
【技術分野】
【０００１】
本発明は、使用者が片手で持って使用できるハンディタイプの切断工具に関する。
【背景技術】
【０００２】
使用者が片手で持って使用できるハンディタイプの切断工具としては、例えば、特許文献１に記載のものが知られている。この切断工具は、等間隔で互いに隣接する３つ以上のカッター刃を備えている。この切断工具によれば、カッター刃間の間隔に応じた切り幅で、食品等を均一に切断したり切り目を入れたりすることができる。
【先行技術文献】
【特許文献】
【０００３】
【特許文献１】実開昭６２−９３９６８号公報
【発明の概要】
【発明が解決しようとする課題】
【０００４】
しかしながら、上記従来の切断工具では、カッター刃間の間隔を変更することができないので、切り幅を変更したい場合には、カッター刃間の間隔が異なる別の切断工具を用いる必要があった。
【０００５】
本発明は上記事情に鑑みてなされたものであって、その課題とするところは、均一に切断等の加工をすることができ、かつ切り幅等の加工幅を任意に変更することができる切断工具を提供することにある。
【課題を解決するための手段】
【０００６】
上記課題を解決するために、本発明に係る切断工具は、（１）使用者が片手で持って使用できるハンディタイプの切断工具であって、各１つのカッター刃を有し、カッター刃が互いに隣接するように設けられ、かつカッター刃の隣接方向に沿って移動可能な３つ以上のカッターユニットと、使用者によって操作可能になっており、カッターユニットを隣接方向に移動させることで、カッター刃間の全ての間隔を同時に同じ量だけ変更する刃間隔変更手段と、カッターユニットを隣接方向にのみ移動可能に案内する案内手段と、案内手段の一端が連結された一方側の側板と、案内手段の他端が連結された他方側の側板と、カッターユニットのうちカッター刃の刃先と反対側の面を覆う天板とを有するハウジングと、を備え、刃間隔変更手段は、隣接方向に延びた長孔が設けられ、かつハウジングとカッターユニットとの間において隣接方向と直交する方向にスライド自在のスライド体と、長孔に挿入され、かつ両端が長孔から突出した状態で長孔に沿って移動可能なカッターユニットと同数のピン部材とからなり、天板には、各１つのピン部材の一端が移動可能に挿入された複数の一端側ガイドが、スライド体のスライド方向に沿って放射状に設けられており、カッターユニットには、各１つのピン部材の他端が移動可能に挿入された複数の他端側ガイドが、スライド方向と平行に設けられており、使用者によってスライド体がスライド操作され、ピン部材が長孔、一端側ガイドおよび他端側ガイドに沿って移動することにより、カッターユニットが案内手段に沿って隣接方向に移動することを特徴とする。
【０００７】
また、上記課題を解決するために、本発明に係る切断工具は、（２）使用者が片手で持って使用できるハンディタイプの切断工具であって、各１つのカッター刃を有し、カッター刃が互いに隣接するように設けられ、かつカッター刃の隣接方向に沿って移動可能な３つ以上のカッターユニットと、使用者によって操作可能になっており、カッターユニットを隣接方向に移動させることで、カッター刃間の全ての間隔を同時に同じ量だけ変更する刃間隔変更手段と、カッターユニットを隣接方向にのみ移動可能に案内する案内手段と、案内手段の一端が連結された一方側の側板と、案内手段の他端が連結された他方側の側板と、カッターユニットのうちカッター刃の刃先と反対側の面を覆う天板とを有するハウジングと、を備え、刃間隔変更手段は、ハウジングとカッターユニットとの間に設けられ、隣接方向と直交する方向にスライド自在のスライド体であり、スライド体には、天板に対向した一方側の面にカッターユニットと同数の一方側突起部が設けられ、かつカッターユニットに対向した他方側の面にカッターユニットと同数の他方側突起部が設けられており、天板には、各１つの一方側突起部が挿入された複数の一方側ガイドが、スライド体のスライド方向と平行に設けられており、カッターユニットには、各１つの他方側突起部が挿入された複数の他方側ガイドが、スライド方向に沿って放射状に設けられており、カッターユニットは、使用者によってスライド体がスライド操作されることにより、案内手段に沿って隣接方向に移動することを特徴とする。
【発明の効果】
【０００８】
本発明によれば、均一に切断等の加工をすることができ、かつ切り幅等の加工幅を任意に変更することができる切断工具を提供することができる。
【図面の簡単な説明】
【０００９】
【図１】本発明の第１実施形態に係る切断工具の斜視図である。
【図２】本発明の第１実施形態に係る切断工具の平面図（ハウジング不図示）であって、（Ａ）は最狭状態、（Ｂ）は最広状態を示す。
【図３】本発明の第１実施形態における刃間隔変更手段の平面図である。
【図４】本発明の第２実施形態に係る切断工具の斜視図である。
【図５】本発明の第２実施形態に係る切断工具の平面図（ハウジング不図示）であって、（Ａ）は最狭状態、（Ｂ）は最広状態を示す。
【図６】本発明の第３実施形態に係る切断工具の斜視図である。
【図７】本発明の第３実施形態における刃間隔変更手段の平面図である。
【図８】本発明の第３実施形態に係る切断工具の平面図（ハウジング不図示）であって、（Ａ）は最狭状態、（Ｂ）は最広状態を示す。
【図９】本発明の第４実施形態に係る切断工具の斜視図である。
【図１０】本発明の第４実施形態に係る切断工具の平面図（ハウジング不図示）であって、（Ａ）は最狭状態、（Ｂ）は最広状態を示す。
【図１１】本発明の第５実施形態に係る切断工具の平面図であって、（Ａ）は最狭状態、（Ｂ）は最広状態を示す。
【図１２】本発明の第５実施形態に係る切断工具の平面図（ハウジング不図示）であって、（Ａ）は最狭状態、（Ｂ）は最広状態を示す。
【図１３】本発明の第６実施形態に係る切断工具の斜視図である。
【図１４】本発明の第６実施形態に係る切断工具の側面図であって、（Ａ）は最広状態、（Ｂ）は最狭状態を示す。
【発明を実施するための形態】
【００１０】
以下、添付図面を参照して、本発明に係る切断工具および刃間隔変更機構の好ましい実施形態について説明する。なお、各実施形態の切断工具は、複数のワンプを同時に開封するためのものであるが、他の用途にも使用できる。
【００１１】
［第１実施形態］
図１に、本発明の第１実施形態に係る切断工具１Ａを示す。同図に示すように、本実施形態に係る切断工具１Ａは、使用者が片手で持って使用できるハンディタイプのものであり、３つ以上（本実施形態では６つ）のカッターユニット２と、刃間隔変更手段３と、案内手段４と、ハウジング５とを備えている。
【００１２】
本実施形態では、カッター刃６が取り付けられていない状態のカッターユニット２と、刃間隔変更手段３と、案内手段４とによって刃間隔変更機構が構成されている。
【００１３】
６つのカッターユニット２は、先端に各１つのカッター刃６を有し、カッター刃６が互いに隣接するように設けられ、かつカッター刃６が隣接した方向（以下、「隣接方向」という。）に沿って移動可能に構成されている。
【００１４】
図２に示すように、案内手段４は、カッターユニット２を隣接方向にのみ移動させるよう構成されている。具体的には、案内手段４は、６つのカッターユニット２を貫通して隣接方向に延びた金属棒であり、刃間隔変更手段３を挟んで平行に２つ設けられている。
【００１５】
再び図１を参照して、ハウジング５は、案内手段４の一端が取り付けられた一方側の側板と、案内手段４の他端が取り付けられた他方側の側板と、カッターユニット２のうちカッター刃６の刃先と反対側の面を覆う天板とから構成されている。天板には貫通孔が設けられており、使用者は、該貫通孔から後述する刃間隔変更手段３のダイヤル部３ｇを回転操作することができる。
【００１６】
図３に示すように、刃間隔変更手段３は、ネジ山のピッチが異なる複数のネジ部３ａ〜３ｆと、ダイヤル部３ｇとが設けられた回転自在のスクリュー体である。複数のネジ部３ａ〜３ｆの各ピッチは、隣接方向に沿って段階的に変化している。具体的には、ネジ部３ａのピッチ、ネジ部３ｂのピッチ、ネジ部３ｃのピッチが、５：３：１の比率（奇数比）で構成され、かつネジ部３ｆのピッチ、ネジ部３ｅのピッチ、ネジ部３ｄのピッチも５：３：１の比率（奇数比）で構成されている（本実施形態では、ネジ部３ａおよびネジ部３ｆのピッチが７．５ｍｍ、ネジ部３ｂおよびネジ部３ｅのピッチが４．５ｍｍ、ネジ部３ｃおよびネジ部３ｄのピッチが１．５ｍｍ）。また、ネジ部３ａ〜３ｃとネジ部３ｄ〜３ｆとは、ネジ山の向きが逆になっている。
【００１７】
また、カッターユニット２には、上記ネジ山に対応したネジ溝が設けられており、各ネジ部３ａ〜３ｆには、各１つのカッターユニット２が螺合されている。なお、本実施形態では、刃間隔変更手段３にネジ山を設け、カッターユニット２にネジ溝を設けているが、刃間隔変更手段３にネジ溝を設け、カッターユニット２にネジ山を設けてもよい。
【００１８】
カッターユニット２は、使用者によってダイヤル部３ｇが回転操作されることにより、刃間隔変更手段３および案内手段４に沿って隣接方向に移動する。カッターユニット２は、ネジ部３ａ〜３ｆのピッチが大きいほど移動距離が長くなり、ネジ山の向きによって移動方向が決定される。
【００１９】
本実施形態に係る切断工具１Ａでは、ネジ部３ａおよびネジ部３ｆに螺合された両端のカッターユニット２の移動距離が最も長くなり、ネジ部３ｃおよびネジ部３ｄに螺合された中央のカッターユニット２の移動距離が最も短くなるように、複数のネジ部３ａ〜３ｆのピッチおよびネジ山の向きが規定されているので、カッター刃６間の全ての間隔を同時に同じ量だけ変更することができる。
【００２０】
また、本実施形態に係る切断工具１Ａでは、図２（Ａ）に示すカッター刃６間の間隔が最も狭い状態（以下、「最狭状態」という。）から、使用者がダイヤル部３ｇを３回転させることで、図２（Ｂ）に示すカッター刃６間の間隔が最も広い状態（以下、「最広状態」という。）になる。このとき、カッター刃６間の全ての間隔は、ｗ（本実施形態ではｗ＝１４ｍｍ）からｗ’（本実施形態ではｗ’＝２３ｍｍ）に変更される。一方、最広状態からダイヤル部３ｇを逆方向に３回転させると最狭状態になり、カッター刃６間の全ての間隔は、ｗ’からｗに変更される。
【００２１】
すなわち、本実施形態に係る切断工具１Ａでは、使用者はダイヤル部３ｇを回転させることにより、カッター刃６間の全ての間隔をｗからｗ’の間で同時に同じ量だけ変更することができる。したがって、本実施形態に係る切断工具１Ａによれば、カッター刃６間の間隔に応じた切り幅で均一に切断することができ、かつ切り幅を任意に変更することができる。
【００２２】
［第２実施形態］
図４に、本発明の第２実施形態に係る切断工具１Ｂを示す。同図に示すように、本実施形態に係る切断工具１Ｂは、第１ユニット７と第２ユニット８とからなる６つのカッターユニット９を備えていること、および天板に開口部が設けられたハウジング１０を備えていること以外の点について、第１実施形態に係る切断工具１Ａと概ね共通している。
【００２３】
本実施形態では、カッター刃６が取り付けられていない状態のカッターユニット９と、刃間隔変更手段３と、案内手段４とによって刃間隔変更機構が構成されている。
【００２４】
第１ユニット７は、案内手段４により隣接方向にのみ案内されるよう構成されている。また、第１ユニット７には、刃間隔変更手段３のネジ山に対応したネジ溝が設けられており、刃間隔変更手段３の各ネジ部３ａ〜３ｆには、各１つの第１ユニット７が螺合されている。
【００２５】
第２ユニット８は、先端に各１つのカッター刃６が取り付けられており、ハウジング１０に設けられた開口部から第１ユニット７に着脱自在に取り付けられるよう構成されている。
【００２６】
このため、本実施形態に係る切断工具１Ｂでは、カッター刃６の取替作業は、取替を要する古いカッター刃６が取り付けられた第２ユニット８を第１ユニット７から取り外し、取り外された該第２ユニット８から古いカッター刃６を取り外し、新しいカッター刃６を該第２ユニット８に取り付け、新しいカッター刃６が取り付けられた該第２ユニット８を第１ユニット７に戻すといった手順で行われる。したがって、本実施形態に係る切断工具１Ｂによれば、カッター刃６を簡易かつ安全に交換することができる。
【００２７】
また、本実施形態に係る切断工具１Ｂでは、図５（Ａ）に示す最狭状態から使用者がダイヤル部３ｇを３回転させることで、図５（Ｂ）に示す最広状態になり、このとき、カッター刃６間の全ての間隔は、ｗからｗ’に変更される。一方、最広状態からダイヤル部３ｇを逆方向に３回転させると最狭状態になり、カッター刃６間の全ての間隔は、ｗ’からｗに変更される。
【００２８】
すなわち、本実施形態に係る切断工具１Ｂによれば、第１実施形態に係る切断工具１Ａと同様に、カッター刃６間の全ての間隔をｗからｗ’の間で同時に同じ量だけ変更することができる。
【００２９】
［第３実施形態］
図６に、本発明の第３実施形態に係る切断工具１Ｃを示す。同図に示すように、本実施形態に係る切断工具１Ｃは、スクリュー体からなる刃間隔変更手段３の替わりにドラム体からなる刃間隔変更手段１１を備えていること、およびカッターユニット１２やハウジング１３が刃間隔変更手段１１に適合した形状になっていること以外の点について、第１実施形態に係る切断工具１Ａと概ね共通している。
【００３０】
本実施形態では、カッター刃６が取り付けられていない状態のカッターユニット１２と、刃間隔変更手段１１と、案内手段４とによって刃間隔変更機構が構成されている。
【００３１】
図７に示すように、刃間隔変更手段１１は、複数の螺旋溝１１ａ〜１１ｆが設けられたドラム体である。複数の螺旋溝１１ａ〜１１ｆは、ドラム体の外周面を展開した状態における傾斜角度が、隣接方向に沿って段階的に変化している。また、螺旋溝１１ａ〜１１ｃと螺旋溝１１ｄ〜１１ｆとは、上記展開状態において、ドラム体外周面の中心線ｃに対して線対称になっている。なお、螺旋溝の傾斜角度は、螺旋溝が中心線ｃに対して平行な場合を０°とし、螺旋溝が中心線ｃに対して垂直な場合を９０°とする。
【００３２】
本実施形態における螺旋溝１１ａ〜１１ｆの傾斜角度は、隣接方向に沿って、螺旋溝１１ａ、螺旋溝１１ｂ、螺旋溝１１ｃの順に小さくなっており、かつ螺旋溝１１ｄ、螺旋溝１１ｅ、螺旋溝１１ｆの順に大きくなっている。また、刃間隔変更手段１１の両端は、ハウジング１３の両側板から突出しており、該突出部分に、ダイヤル部１１ｇが設けられている（図６参照）。
【００３３】
カッターユニット１２には、各１つの凸部が設けられており、該凸部は、各１つの螺旋溝１１ａ〜１１ｆに係合している。
【００３４】
カッターユニット１２は、使用者によってダイヤル部１１ｇが回転操作されることにより、刃間隔変更手段１１および案内手段４に沿って隣接方向に移動する。カッターユニット１２は、螺旋溝１１ａ〜１１ｆの傾斜角度が大きいほど移動距離が長くなり、傾斜方向によって移動方向が決定される。
【００３５】
本実施形態に係る切断工具１Ｃでは、螺旋溝１１ａおよび螺旋溝１１ｆに係合された両端のカッターユニット１２の移動距離が最も長くなり、かつ螺旋溝１１ｃおよび螺旋溝１１ｄに係合された中央のカッターユニット１２の移動距離が最も短くなるように、複数の螺旋溝１１ａ〜１１ｆの傾斜角度および傾斜方向が規定されているので、カッター刃６間の全ての間隔を同時に同じ量だけ変更することができる。
【００３６】
また、本実施形態に係る切断工具１Ｃでは、図８（Ａ）に示す最狭状態から、使用者がダイヤル部１１ｇを１回転させることで、ドラム体が１回転して図８（Ｂ）に示す最広状態になり、このとき、カッター刃６間の全ての間隔は、ｗからｗ’に変更される。一方、最広状態からダイヤル部１１ｇを逆方向に１回転させると最狭状態となり、カッター刃６間の全ての間隔は、ｗ’からｗに変更される。
【００３７】
すなわち、本実施形態に係る切断工具１Ｃによれば、カッター刃６間の全ての間隔をｗからｗ’の間で同時に同じ量だけ変更することができる。
【００３８】
［第４実施形態］
図９に、本発明の第４実施形態に係る切断工具１Ｄを示す。同図に示すように、本実施形態に係る切断工具１Ｄは、スクリュー体からなる刃間隔変更手段３の替わりにスライド体１４を含む刃間隔変更手段１７を備えていること、およびカッターユニット１８やハウジング１９が刃間隔変更手段１７に適合した形状になっていること以外の点について、第１実施形態に係る切断工具１Ａと概ね共通している。
【００３９】
本実施形態では、カッター刃６が取り付けられていない状態のカッターユニット１８と、刃間隔変更手段１７と、案内手段４と、後述する一端側ガイド２０ａ〜２０ｆおよびガイド２０ｇとによって刃間隔変更機構が構成されている。
【００４０】
図１０（Ａ）および（Ｂ）に示すように、刃間隔変更手段１７は、スライド体１４と、ピン部材１５ａ〜１５ｆと、スライドつまみ１６とを有している。
【００４１】
スライド体１４は、隣接方向に延びた長孔を有し、かつハウジング１９とカッターユニット１８との間において隣接方向と直交する方向（スライド方向）にスライド自在に構成されている。スライド体１４の中央には、スライドつまみ１６が設けられている。
【００４２】
ピン部材１５ａ〜１５ｆは、長孔に挿入され、かつ両端が長孔から突出した状態で長孔に沿って移動可能に構成されている。ピン部材１５ａ〜１５ｆは、カッターユニット１８と同数（本実施形態では６つ）設けられている。
【００４３】
再び図９を参照して、ハウジング１９の天板には、各１つのピン部材１５ａ〜１５ｆの一端が移動可能に挿入された６つの一端側ガイド２０ａ〜２０ｆと、スライドつまみ１６をスライド方向に沿って案内するためのガイド２０ｇとが設けられている。
【００４４】
一端側ガイド２０ａ〜２０ｆは、一端側ガイド２０ａ〜２０ｆ間の間隔がスライド方向に沿って連続的に変化するように、放射状に設けられている。具体的には、一端側ガイド２０ａ〜２０ｆ間の間隔は、カッターユニット１８の先端側に向かうにつれて大きくなっている。
【００４５】
カッターユニット１８には、図１０に示すように、各１つのピン部材１５ａ〜１５ｆの他端が移動可能に挿入された各１つの他端側ガイド２１ａ〜２１ｆが、スライド方向と平行に設けられている。例えば、図１０（Ｂ）における右端のカッターユニット１８には、ピン部材１５ｆの他端が移動可能に挿入された他端側ガイド２１ｆが設けられている。
【００４６】
本実施形態に係る切断工具１Ｄでは、使用者によってスライドつまみ１６がスライド操作され、スライド体１４がスライドすると、ピン部材１５ａ〜１５ｆが長孔、一端側ガイド２０ａ〜２０ｆおよび他端側ガイド２１ａ〜２１ｆに沿って移動することにより、カッターユニット１８が案内手段４に沿って隣接方向に移動する。
【００４７】
また、本実施形態に係る切断工具１Ｄでは、使用者がスライド体１４を一方側の案内手段４の上方位置から他方側の案内手段４の上方位置までスライドさせることで、図１０（Ａ）に示す最狭状態から図１０（Ｂ）に示す最広状態になり、このとき、カッター刃６間の全ての間隔はｗからｗ’に変更される。一方、使用者がスライド体１４を他方側の案内手段４の上方位置から一方側の案内手段４の上方位置までスライドさせると、カッター刃６間の全ての間隔はｗ’からｗに変更される。
【００４８】
すなわち、本実施形態に係る切断工具１Ｄによれば、カッター刃６間の全ての間隔をｗからｗ’の間で同時に同じ量だけ変更することができる。
【００４９】
［第５実施形態］
図１１および図１２に、本発明の第５実施形態に係る切断工具１Ｅを示す。これらの図に示すように、本実施形態に係る切断工具１Ｅは、先端に各１つのカッター刃６を有する４つのカッターユニット２２と、スライド体からなる刃間隔変更手段２３と、案内手段２４と、ハウジング２５とを備えている。
【００５０】
本実施形態では、カッター刃６が取り付けられていない状態のカッターユニット２２と、刃間隔変更手段２３と、案内手段２４と、後述する一方側ガイド２５ａ〜２５ｄおよびガイド２５ｅとによって刃間隔変更機構が構成されている。
【００５１】
案内手段２４は、カッターユニット２２を隣接方向にのみ移動可能に案内する金属棒であり、隣接方向と平行に３つ設けられている。
【００５２】
刃間隔変更手段２３は、隣接方向と直交する方向（スライド方向）にスライド自在に構成されたスライド体である。刃間隔変更手段２３には、ハウジング２５の天板に対向した一方側の面にカッターユニット２２と同数（本実施形態では４つ）の一方側突起部２３ａ〜２３ｄが設けられ、かつカッターユニット２２に対向した他方側の面にカッターユニット２２と同数（本実施形態では４つ）の他方側突起部が設けられている。刃間隔変更手段２３の中央には、スライドつまみ２３ｅが設けられている。
【００５３】
ハウジング２５の天板には、スライドつまみ２３ｅをスライド方向に沿って案内するためのガイド２５ｅが設けられている。また、天板の内側面には、各１つの一方側突起部２３ａ〜２３ｄが移動可能に挿入された４つの一方側ガイド２５ａ〜２５ｄが、スライド方向と平行に設けられている。
【００５４】
図１２に示すように、４つのカッターユニット２２は、先端側部分（先端から中央までの部分）におけるカッターユニット２２間の間隔が均一になるように、先端側部分がスライド方向と平行に設けられており、末端側部分（中央から末端近傍までの部分）におけるカッターユニット２２間の間隔が末端に向かうにつれて連続的に大きくなるように、末端側部分がスライド方向に放射状に設けられている。また、カッターユニット２２の末端側部分には、各１つ他方側ガイド２２ａ〜２２ｄが設けられており、該他方側ガイド２２ａ〜２２ｄには、各１つの他方側突起部が移動可能に挿入されている。
【００５５】
本実施形態に係る切断工具１Ｅでは、使用者によってスライドつまみ２３ｅがスライド操作されると、一方側突起部２３ａ〜２３ｄが一方側ガイド２５ａ〜２５ｄに沿って移動し、他方側ガイド２２ａ〜２２ｄに対して他方側突起部から隣接方向に力が加わるので、カッターユニット２２が案内手段２４に沿って隣接方向に移動する。
【００５６】
また、本実施形態に係る切断工具１Ｅでは、使用者が刃間隔変更手段２３をカッターユニット２２末端近傍の上方位置からカッターユニット２２中央の上方位置までスライドさせることで、図１２（Ａ）に示す最狭状態から、図１２（Ｂ）に示す最広状態になる。このとき、カッター刃６間の全ての間隔は、ｗ（本実施形態ではｗ＝２４ｍｍ）からｗ’（本実施形態ではｗ’＝４５ｍｍ）に変更される。一方、最広状態において刃間隔変更手段２３をカッターユニット２２末端近傍の上方位置まで移動させると最狭状態になり、カッター刃６間の全ての間隔は、ｗ’からｗに変更される。
【００５７】
すなわち、本実施形態に係る切断工具１Ｅによれば、カッター刃６間の全ての間隔をｗからｗ’の間で同時に同じ量だけ変更することができる。
【００５８】
［第６実施形態］
図１３に、本発明の第６実施形態に係る切断工具１Ｆを示す。同図に示すように、本実施形態に係る切断工具１Ｆは、第４実施形態に係る切断工具１Ｄの変形例であって、カッターユニット１８の数が４つであること、刃間隔変更手段１７のピン部材１５ａ〜１５ｄの他端側がカッターユニット１８に固定されている（または各ピン部材１５ａ〜１５ｄと各カッターユニット１８とが一体構造になっている）こと、案内手段４を備えていないこと以外の点について、第４実施形態に係る切断工具１Ｄと概ね共通している。
【００５９】
本実施形態では、カッター刃６が取り付けられていない状態のカッターユニット１８と、刃間隔変更手段１７と、後述する一端側ガイド２０ａ〜２０ｄおよびガイド２０ｇとによって刃間隔変更機構が構成されている。
【００６０】
本実施形態に係る切断工具１Ｆでは、上述のようにピン部材１５ａ〜１５ｄの他端側がカッターユニット１８に固定されているので、スライド体１４は、カッターユニット１８に対してスライド方向に移動しない（カッターユニット１８は、スライド体１４に対して隣接方向にのみ移動する）ようになる。また、本実施形態に係る切断工具１Ｆでは、案内手段４がないので、カッターユニット１８は、スライド体１４とともにスライド方向に移動するようになる。
【００６１】
したがって、本実施形態に係る切断工具１Ｆでは、図１４（Ａ）に示す最広状態から、使用者がスライドつまみ１６をカッターユニット１８の末端方向にスライド操作することで、カッターユニット１８がスライド体１４に対して隣接方向に移動しつつ、カッターユニット１８がスライド体１４とともにスライド方向に移動する。その結果、本実施形態に係る切断工具１Ｆによれば、図１４（Ｂ）に示す最狭状態において、カッター刃６をカッター刃収納部１９ａに収納することができる。一方、最狭状態から、使用者がスライドつまみ１６をカッターユニット１８の先端方向にスライド操作することで、カッター刃６をカッター刃収納部１９ａから出すことができる。
【００６２】
［変形例］
以上、本発明に係る切断工具および刃間隔調整機構の好ましい実施形態について説明したが、本発明は上記各実施形態に限定されるものではない。
【００６３】
例えば、上記第１実施形態および第２実施形態に係る切断工具１Ａ、１Ｂでは、ネジ部３ａ〜３ｃとネジ部３ｄ〜３ｆとはネジ山の向きが逆になっており、ネジ部３ａ〜３ｃに螺合された３つのカッターユニット２、９と、ネジ部３ｄ〜３ｆに螺合された３つのカッターユニット２、９とが逆方向に移動するよう構成しているが、ネジ部３ａ〜３ｆのネジ山の向きを同じ向きにして、６つのカッターユニット２、９が同じ方向に移動するように構成してもよい。なお、後者のように構成した場合、カッター刃６間の全ての間隔を同時に同じ量だけ変更可能にするために、ネジ部３ａ〜３ｆの各ピッチを隣接方向に沿って段階的に大きく（または小さく）しておく必要がある。
【００６４】
同様に、第３実施形態における刃間隔変更手段１１では、ドラム体の外周面を展開した状態において、螺旋溝１１ａ〜１１ｆを同じ方向に傾斜させて、６つのカッターユニット１２が同じ方向に移動するように構成してもよい。かかる構成にした場合、カッター刃６間の全ての間隔を同時に同じ量だけ変更可能にするために、螺旋溝１１ａ〜１１ｆの傾斜角度が隣接方向に沿って段階的に大きく（または小さく）しておく必要がある。
【００６５】
また、上記第１実施形態および第２実施形態におけるダイヤル部３ｇの位置は、任意に変更可能であり、例えば、スクリュー体の端部（ネジ部３ａまたはネジ部３ｆの外側）に設けてもよい。
【００６６】
さらに、上記各実施形態におけるカッターユニット２、９、１２、１８、２２の数は任意に変更可能であり、カッターユニット２、９、１２、１８、２２の数に応じて他の部品の構成および形状も任意に変更可能である。例えば、上記第１実施形態および第２実施形態におけるカッターユニット２、９の数が３つの場合、刃間隔変更手段３は、ネジ部３ａ〜３ｃ（または３ｄ〜３ｆ）とダイヤル部３ｇのみで構成することができる。
【００６７】
また、上記各実施形態におけるハウジング５、１０、１３、１９、２５の形状も、任意に変更することができる。例えば、不使用時にカッター刃６の刃先を覆うカバーを設けてもよいし、上記第６実施形態におけるハウジング１９に設けられている把持部１９ｂを、他の実施形態におけるハウジング５、１０、１３、１９、２５に設けてもよい。
【００６８】
さらに、上記各実施形態における刃間隔変更機構は、上記各実施形態に係る切断工具１Ａ〜１Ｆ以外の他の切断工具等の工具にも適用することができる。他の工具における刃間隔変更機構は、互いに隣接するように設けられ、かつ各１つの刃が取り付けられる３つ以上の刃取付部を、刃取付部の隣接方向に沿って移動させることにより、刃取付部間の全ての間隔を同時に同じ量だけ変更することができるのであれば、任意に構成することができる。なお、上記工具は、ハンディタイプのものでなくてもよい。また、刃取付部に取り付けられる刃としては、ミシン目カッター刃・ダイヤモンド刃・カーボン刃・セラミック刃等の任意のカッター刃が考えられる。
【符号の説明】
【００６９】
１Ａ〜１Ｆ    切断工具
２、９、１２、１８、２２    カッターユニット
３、１１、１７、２３    刃間隔変更手段
４、２４    案内手段
５、１０、１３、１９、２５    ハウジング
６    カッター刃
【図１】
2014000374.tif 000003
【図２】
2014000374.tif 000004
【図３】
2014000374.tif 000005
【図４】
2014000374.tif 000006
【図５】
2014000374.tif 000007
【図６】
2014000374.tif 000008
【図７】
2014000374.tif 000009
【図８】
2014000374.tif 000010
【図９】
2014000374.tif 000011
【図１０】
2014000374.tif 000012
【図１１】
2014000374.tif 000013
【図１２】
2014000374.tif 000014
【図１３】
2014000374.tif 000015
【図１４】
2014000374.tif 000016